(57)【要約】【課題】  照明又は表示装置用のランプ源モジュールとして機能する、両面が発光する面光源装置を提供する。【解決手段】  本発明は、透明陰極構造と、透明陽極構造と、蛍光層と、低圧ガス層とを含む、両面が発光する面光源装置を提供する。透明陰極構造及び透明陽極構造は、互いに対向し、それぞれ表面構造である。蛍光層は、透明陰極構造と透明陽極構造との間に位置付けられる。低圧ガス層は、透明陰極構造と透明陽極構造との間の空間を充填し、陰極に電子を均一に放射させるよう機能する。更に、低圧ガス層の電子平均自由行程は、動作電圧下で、少なくとも十分な電子が蛍光層に直接衝突することを可能にする。【選択図】  図３
2011165679.tif 000002
【特許請求の範囲】
【請求項１】
透明陰極構造と、
透明陽極構造と、
蛍光層と、
低圧ガス層と、
を含み、
前記透明陽極構造及び前記透明陰極構造は、それぞれ、表面構造であり、また、互いに並行であり、
前記蛍光層は、前記透明陰極構造と前記透明陽極構造との間に位置付けられ、
前記低圧ガス層は、前記透明陰極構造と前記透明陽極構造との間の空間を充填し、陰極に電子を均一に放射させるよう機能し、
前記低圧ガス層の電子平均自由行程は、動作電圧下で、少なくとも十分な電子が前記蛍光層に直接衝突することを可能にする、両面が発光する面光源装置。
【請求項２】
第１の透明基板、第２の透明基板、及びスペーサを更に含み、
前記透明陰極構造は、前記第１の透明基板上に配置され、
前記透明陽極構造は、前記第２の透明基板上に配置され、
前記スペーサは、前記第１の透明基板と前記第２の透明基板との間に位置付けられて前記低圧ガス層を収容する空間を作成する、請求項１に記載の両面が発光する面光源装置。
【請求項３】
前記第１の透明基板及び前記第２の透明基板は、それぞれ、硬質透明材料を含む、請求項２に記載の両面が発光する面光源装置。
【請求項４】
前記第１の透明基板及び前記第２の透明基板は、それぞれ、軟質透明材料を含む、請求項２に記載の両面が発光する面光源装置。
【請求項５】
前記透明陰極構造上に配置される２次電子材料層を更に含む、請求項１に記載の両面が発光する面光源装置。
【請求項６】
前記透明陰極構造及び前記透明陽極構造のうち少なくとも１つの上に配置されるエミッタ材料層を更に含む、請求項１に記載の両面が発光する面光源装置。
【請求項７】
前記エミッタ材料層は、放電を容易にする表面構造を含む、請求項６に記載の両面が発光する面光源装置。
【請求項８】
前記蛍光層を保護するよう前記蛍光層上に配置される透明導電保護層を更に含む、請求項１に記載の両面が発光する面光源装置。
【請求項９】
前記低圧ガス層の圧力は、１０乃至１０−３トールの範囲にある、請求項１に記載の両面が発光する面光源装置。
【請求項１０】
前記低圧ガス層は、不活性ガスを含む、請求項１に記載の両面が発光する面光源装置。
【請求項１１】
前記低圧ガス層は、空気、Ｈｅ、Ｎｅ、Ａｒ、Ｋｒ、Ｘｅ、Ｈ２、又はＣＯ２を含む、請求項１に記載の両面が発光する面光源装置。
【請求項１２】
前記蛍光層は、単層構造を含む、請求項１に記載の両面が発光する面光源装置。
【請求項１３】
前記蛍光層は、様々な異なる蛍光材料をそれぞれ有する重ね合わせ層構造又は補助構造を含む、請求項１に記載の両面が発光する面光源装置。
【請求項１４】
前記蛍光層は、対応周波数を有する光をそれぞれ生成する複数の領域を有する、請求項１に記載の両面が発光する面光源装置。
【請求項１５】
少なくとも１つの陰極ワイヤ構造と、
透明陽極構造と、
蛍光層と、
低圧ガス層と、
を含み、
前記透明陽極構造は、表面構造であり、
前記陰極ワイヤ構造と前記透明陽極構造は、互いに並行であり、
前記蛍光層は、前記陰極ワイヤ構造と前記透明陽極構造との間に位置付けられ、
前記低圧ガス層は、前記陰極ワイヤ構造と前記透明陽極構造との間の空間を充填し、陰極に電子を均一に放射させるよう機能し、
前記低圧ガス層の電子平均自由行程は、動作電圧下で、少なくとも十分な電子が前記蛍光層に直接衝突することを可能にする、両面が発光する面光源装置。
【請求項１６】
第１の透明基板、第２の透明基板、及びスペーサを更に含み、
前記スペーサは、前記第１の透明基板と前記第２の透明基板との間に位置付けられて前記低圧ガス層を収容する空間を作成し、
前記陰極ワイヤ構造は、前記第１の透明基板上の前記空間内に位置付けられ、
前記透明陽極構造及び前記蛍光層は、前記第１の透明基板上に形成される、請求項１５に記載の両面が発光する面光源装置。
【請求項１７】
前記第１の透明基板及び前記第２の透明基板は、それぞれ、硬質透明材料を含む、請求項１６に記載の両面が発光する面光源装置。
【請求項１８】
前記第１の透明基板及び前記第２の透明基板は、それぞれ、軟質透明材料を含む、請求項１６に記載の両面が発光する面光源装置。
【請求項１９】
前記透明陽極構造上に配置されるエミッタ材料層を更に含む、請求項１５に記載の両面が発光する面光源装置。
【請求項２０】
前記エミッタ材料層は、放電を容易にする表面構造を含む、請求項１９に記載の両面が発光する面光源装置。
【請求項２１】
前記蛍光層を保護するよう前記蛍光層上に配置される透明導電保護層を更に含む、請求項１５に記載の両面が発光する面光源装置。
【請求項２２】
前記低圧ガス層の圧力は、１０乃至１０−３トールの範囲にある、請求項１５に記載の両面が発光する面光源装置。
【請求項２３】
前記蛍光層は、単層構造を含む、請求項１５に記載の両面が発光する面光源装置。
【請求項２４】
前記蛍光層は、様々な異なる蛍光材料をそれぞれ有する重ね合わせ層構造又は補助構造を含む、請求項１５に記載の両面が発光する面光源装置。
【請求項２５】
前記蛍光層は、対応周波数を有する光をそれぞれ生成する複数の領域を有する、請求項１５に記載の両面が発光する面光源装置。
【請求項２６】
第１の透明基板と、
第２の透明基板と、
前記第１の透明基板と前記第２の透明基板との間に配置されて空間を作成するスペーサと、
前記空間を充填し、陰極に電子を均一に放射させるよう機能する低圧ガス層と、
前記第１の透明基板上に配置される陰極構造と、
前記第１の透明基板上に配置される陽極構造と、
前記第１の透明基板上に配置され、前記陰極構造と前記陽極構造との間に位置付けられる蛍光構造層と、
を含み、
前記低圧ガス層の電子平均自由行程は、動作電圧下で、少なくとも十分な電子が前記蛍光構造層の横方向に動き、また、前記蛍光構造層に直接衝突することを可能にする、両面が発光する面光源装置。
【請求項２７】
前記低圧ガス層の圧力は、１０乃至１０−３トールの範囲にある、請求項２６に記載の両面が発光する面光源装置。
【請求項２８】
前記蛍光構造層は、複数の蛍光単体を含み、
各蛍光単体の表面は、蛍光材料層を有する、請求項２６に記載の両面が発光する面光源装置。
【請求項２９】
前記蛍光構造層は、複数の球状の蛍光単体から構成され、
各蛍光単体の表面は、蛍光材料層を有する、請求項２６に記載の両面が発光する面光源装置。
【請求項３０】
前記蛍光構造層は、複数の円筒状の蛍光単体から構成され、
各蛍光単体の表面は、蛍光材料層を有する、請求項２６に記載の両面が発光する面光源装置。
【請求項３１】
前記蛍光構造層は、少なくとも１つの発光領域を形成する、請求項２６に記載の両面が発光する面光源装置。
【請求項３２】
前記蛍光構造層の蛍光材料層は、単層構造を含む、請求項２６に記載の両面が発光する面光源装置。
【請求項３３】
前記蛍光構造層は、対応周波数を有する光をそれぞれ生成する複数の領域を含む、請求項２６に記載の両面が発光する面光源装置。
【請求項３４】
前記蛍光構造層の蛍光材料層は、複数の異なる蛍光材料をそれぞれ有する重ね合わせ層構造又は混合された層構造を含む、請求項２６に記載の両面が発光する面光源装置。
【請求項３５】
互いに対向し、陽極構造として機能する第１の導電透明基板及び第２の導電透明基板と、
前記第１の導電透明基板及び前記第２の導電透明基板上に配置される蛍光構造層と、
前記第１の導電透明基板と前記第２の導電透明基板との間に配置され空間を作成するスペーサと、
空間を充填し、陰極に電子を均一に放射させるよう機能する低圧ガス層と、
前記第１の導電透明基板と前記第２の導電透明基板との間の平面上に分布されるフィラメント状の陰極構造と、
を含み、
前記低圧ガス層の電子平均自由行程は、動作電圧下で、少なくとも十分な電子が前記蛍光構造層の横方向に動き、また、前記蛍光構造層に直接衝突することを可能にする、両面が発光する面光源装置。
【請求項３６】
前記低圧ガス層の圧力は、１０乃至１０−３トールの範囲にある、請求項３５に記載の両面が発光する面光源装置。
【発明の詳細な説明】
【技術分野】
【０００１】
本発明は、一般的に、光源装置、より具体的には、所望の光を生成する目的で両面が発光する面光源装置に係る。
【背景技術】
【０００２】
光源装置は、日常生活において広く使用される。例えば、電球といった従来の光源装置は、そのフィラメントを介して可視光を生成し、また、電源投入後、高温となる。電球光源は、点状光源とみなされる。点状光源の後、管状光源も開発された。その後、長い開発及び改良期間の経過後、面光源装置が登場し、今日、例えば、フラットディスプレイにおいて広く使用されている。
【０００３】
面光源は、様々な機構に基づいて動作する。図１は、従来の面光源装置の機構を示す断面図である。図１を参照するに、発光は、以下のような仕組みで生成される。電源１０６を２つの電極構造１００に接続する。電極構造１００によって動作電圧下で電界を生成し、それにより、プラズマ放電とも呼ばれるガス放電を確立する。ガス１０４を電離することで導電性ガス中の電子１１０はガス分子と衝突し、それにより、電子遷移を起こし、紫外線放射する。放射された紫外線（ＵＶ）が、電極構造１０２上の異なる色に対応する蛍光層１０８ａ、１０８ｂ、及び１０８ｃに衝突する。最後に、蛍光層１０８ａ、１０８ｂ、及び１０８ｃ（例えば、赤蛍光層、緑蛍光層、及び青蛍光層）がＵＶを吸収後、可視光１１２を放射する。この面光源装置での電極構造１００は発光面であるので、電極構造１００は、通常、透明材料であり、例えば、ガラス基板とＩＴＯ（インジウム−スズ酸化物）透明導電層から作られる。
【０００４】
図２は、従来の面光源装置の別の機構を示す断面図である。図２を参照するに、陰極構造層１２２がガラス基板１２０上に配置され、複数の円錐形の導体１２４が陰極構造層１２２上に配置され、ゲート層１２６が円錐形の導体１２４上に配置され、複数の穴がゲート層１２６に形成され、これらの穴は、円錐形の導体１２４に対応する。透明陽極層を有する陽極構造層１２８は、別のガラス基板上に配置される。更に、蛍光層１３０が陽極構造層１２８に配置され、陰極と陽極の間の高い電界によって、円錐形の導体１２４の先端から電子１３２が漏出する。その後、電子１３２は、電界により加速され、蛍光層１３０に衝突することで蛍光層１３０に光を放射させる。
【０００５】
上述した２つの従来の発光機構は、それぞれ、独自の利点及び不利点を有する。ガス放電に基づく機構は、構造の単純さ及び容易な発光という利点を有するが、発光するためには、プラズマを最初に生成する必要がある。また、この発光機構は、大量の電力を消費する２次エネルギー変換に基づく。対照的に、電界放射に基づく機構では、対応する光源は、陰極線管（ＣＲＴ）に類似する冷光源としてみなされ、真空中の高速電子は、蛍光粉末に直接衝突して可視光を放射する。この第２の機構は、高輝度、電力節約、及び、面光源構造の形成が簡単であるという利点を有するが、陰極上に放射材料を均一に成長させるか又は陰極上に放射材料を分散させる工程を必要とし、その工程を実施するためには、この第２の機構は、大きいアスペクト比（幅に対する深度の比）を有するマイクロ構造によって、電子が陰極の仕事関数に打ち勝ち、陰極から離脱し、真空空間内に移動することを可能にするべく針状の構造又はカーボンナノチューブを必要とするという不利点を有する。従って、第２の機構は、大きい面積に亘って陰極構造を均一に形成することが困難である。更に、第２の機構では、電界放射を確立するための陰極と陽極との間の距離は、正確に制御される必要があるので、スペーサ構造に関して厳密な仕様が必要となる。さらに、第２の機構での真空パッケージ化はしばしば悩ましい問題である。
【０００６】
なお、上述した光源装置は、単方向発光のための構造を対象としている。しかし、このような単方向発光装置は、依然として使用が限定される。
【発明の開示】
【発明が解決しようとする課題】
【０００７】
従って、本発明は、照明又は表示装置用のランプ源モジュールとして機能する、両面が発光する面光源装置を提供することを目的とする。
【課題を解決するための手段】
【０００８】
一実施形態では、本発明は、透明陰極構造と、透明陽極構造と、蛍光層と、低圧ガス層とを含む、両面が発光する面光源装置を提供する。透明陰極構造及び透明陽極構造は、互いに対向し、それぞれ表面構造である。蛍光層は、透明陰極構造と透明陽極構造との間に位置付けられる。低圧ガス層は、透明陰極構造と透明陽極構造との間の空間を充填し、陰極に電子を均一に放射させるよう機能し、低圧ガス層の電子平均自由行程は、動作電圧下で、少なくとも十分な数の電子が蛍光層に直接衝突することを可能にする。
【０００９】
一実施形態では、本発明は、少なくとも１つの陰極ワイヤ構造と、透明陽極構造と、蛍光層と、低圧ガス層とを含む、両面が発光する別の面光源装置を提供する。透明陽極構造は、表面構造であり、陰極ワイヤ構造と透明陽極構造は、互いに並行である。蛍光層は、陰極ワイヤ構造と透明陽極構造との間に位置付けられる。低圧ガス層は、陰極ワイヤ構造と透明陽極構造との間の空間を充填し、陰極に電子を均一に放射させるよう機能する。低圧ガス層の電子平均自由行程は、動作電圧下で、少なくとも十分な数の電子が蛍光層に直接衝突することを可能にする。
【００１０】
一実施形態では、本発明は、第１の透明基板と、第２の透明基板と、スペーサと、低圧ガス層と、陰極構造と、陽極構造とを含む、両面が発光する更に別の面光源装置を提供する。スペーサは、第１の透明基板と第２の透明基板との間に配置されて空間を作成する。低圧ガス層は、その空間を充填し、陰極に電子を均一に放射させるよう機能する。陰極構造及び陽極構造は、第１の透明基板上に配置される。蛍光構造層は、第１の透明基板上に配置され、陰極構造と陽極構造との間に位置付けられる。低圧ガス層の電子平均自由行程は、動作電圧下で、少なくとも十分な数の電子が蛍光層の横方向に動き、また、蛍光層に直接衝突することを可能にする。
【００１１】
一実施形態では、本発明は、互いに対向する第１の導電透明基板及び第２の導電透明基板を含み、これらの２つの導電透明基板は、それぞれ、陽極構造として機能する、両面が発光する更に別の面光源装置を提供する。蛍光構造層は、第１の導電透明基板及び第２の導電透明基板上に配置される。スペーサは、第１の導電透明基板と第２の導電透明基板との間に配置され空間を作成する。低圧ガス層は、その空間を充填し、陰極に電子を均一に放射させるよう機能する。フィラメント状の陰極構造は、第１の導電透明基板と第２の導電透明基板との間の平面上に分布される。低圧ガス層の電子平均自由行程は、動作電圧下で、少なくとも十分な数の電子が蛍光層の横方向に動き、また、蛍光層に直接衝突することを可能にする、両面が発光する面光源装置。
【図面の簡単な説明】
【００１２】
添付図面は、本発明の更なる理解を提供するよう包含され、また、本明細書に組み込まれ且つ本明細書の一部を構成する。図面は、本発明の実施形態を示し、以下の詳細な説明と共に、本発明の原理を説明する。
【００１３】
【図１】従来の面光源装置の機構を示す断面図である。
【００１４】
【図２】従来の面光源装置の別の機構を示す断面図である。
【００１５】
【図３】本発明の一実施形態による、両面が発光する面光源装置を示す断面図である。
【００１６】
【図４】本発明の別の実施形態による、両面が発光する面光源装置を示す断面図である。
【００１７】
【図５−７】本発明の他の実施形態による、両面が発光する面光源装置を示す断面図である。
【００１８】
【図８−１１】本発明の更に別の実施形態による、両面が発光する面光源装置を示す断面図である。
【００１９】
【図１２Ａ】本発明の更に別の実施形態による、両面が発光する面光源装置を示す側面図である。
【図１２Ｂ】本発明の更に別の実施形態による、両面が発光する面光源装置を示す平面図である。
【発明を実施するための最良の形態】
【００２０】
本発明の好適な実施形態を詳細に参照する。本発明の好適な実施形態の例は、添付図面に示す。可能な場合には、同一の参照番号を図面及び説明に使用して同じ又は同様の部分を指す。
【００２１】
本発明は、両面が発光する面光源装置を提供する。この装置は、電子放射機構に基づいてガスの真空レベルを制御することで発光効果を実現することができる。更に、透明電極及び透明基板の適切な配置と関連して、本発明は、両面発光を実現する。本発明が採用する機構は、両面が均一に発光する面光源装置の製造工程をより簡単にする。更に、蛍光材料を適切に選択することで、本発明は更に、面ＵＶ光源、又は、可視光又は赤外線といった他の波長を有する光源を生成可能である。照明及び装飾の適用に加えて、本発明の両面が発光する面光源装置は、ディスプレイ用の光源として機能可能である。透明基板の材料は、硬質材料又は軟質材料でありうる。面光源装置は、実際の必要性に応じて平面の光源装置又は曲面の光源装置でありうる。以下に幾つかの実施形態を説明するが、本発明はこれらに限定されない。実際の適用において、以下に説明する様々な実施形態は、組み合わされて使用されても、単独で使用されてもよい。
【００２２】
本発明により提供する光源装置は、陰極から十分な電子を引き出すガス伝導特性を活用する。電子の薄ガス中の移動時、薄ガスの電子平均自由行程が長いことにより、例えば、陽極上の蛍光粉末に直接衝突して蛍光粉末を励起し発光させる十分な電子が移動端に依然としてある。蛍光粉末は励起されて発光可能である。ＵＶが必要である場合、蛍光粉末の元素比を調節してＵＶ光、例えば、１００ｎｍ乃至４００ｎｍの波長の光を放射可能である。更に、光度は、電圧を調節することで制御可能である。
【００２３】
図３は、本発明の一実施形態による、両面が発光する面光源装置を示す断面図である。図３を参照するに、本発明は、低圧ガスを収容する空間が必要である。低圧ガス用の空間は、２つの透明基板２００及び２０２とスペーサ２０４によって形成される。この低圧ガス層は、一般的な技術によって実施可能であるので説明は省く。
【００２４】
本発明の透明陰極構造２０６は、透明基板２００上に配置され、透明陽極構造２０８は透明基板２００上に配置される。スペーサ２０４は、透明基板２００と透明基板２０２との間に配置され、それにより、低圧ガス層を収容する空間を作成する。この空間は、複数の小さい空間に分割されても、分割なしの単一の空間であってもよい。これは、特定の限定なしで適用の必要性に依存する。透明材料は、例えば、インジウム−スズ酸化物（ＩＴＯ）、インジウム−亜鉛酸化物（ＩＺＯ）、又は、透明導電酸化物の他の一般的な材料である。
【００２５】
透明陰極構造２０６及び透明陽極構造２０８は、例えば、互いに対向し、また、それぞれ、表面構造である。一般的に、蛍光層２１０が、透明陰極構造２０６と透明陽極構造２０８との間に位置付けられ、また、好適には、透明陽極構造２０８上に配置される。低圧ガス層は、透明陰極構造２０６と透明陽極構造２０８との間の空間を埋めて陰極が均一に電子を放射するようにさせる。低圧ガス層の電子平均自由行程によって、動作電圧下で、少なくとも十分な電子が蛍光層に直接衝突可能である。低圧ガス層の圧力は、１０−１０−３トールの範囲であり、低圧ガス層におけるガスは、例えば、不活性ガス、空気、Ｈｅ、Ｎｅ、Ａｒ、Ｋｒ、Ｘｅ、Ｈ２、又はＣＯ２を含む。最適化圧力は、ガスと、陰極と陽極間の距離に依存する。
【００２６】
低圧ガス層内の引き出された電子２１２は、透明陽極構造２０８に向かって移動するよう加速される。薄ガスの電子平均自由行程が長いことにより、蛍光層２１０に直接衝突する十分な電子２１２が移動端に依然としてある。その一方で、低圧ガス層内の電離された正ガスイオン２１４は、透明陰極構造２０６に向かって移動して陰極に衝突し、２次電子２１６の生成及び増加に貢献する。２次電子を効果的に生成する方法は、後述する。通常、異なる圧力は異なる動作電圧を必要とし、輝度は、動作電圧が増加することで増加し、また、輝度と電圧は線形関係にある。
【００２７】
透明基板２００及び２０２の透明特性によって、蛍光層２１０により生成される光２１８及び２２０が、透明基板２００及び２０２を透過可能にし、それにより、両面発光の効果を実現する。
【００２８】
蛍光層２１０は、単層構造であることが可能である。しかし、蛍光層２１０は、異なる蛍光層に依存して、例えば、重ね合わされた層構造又は混合された層構造であってもよい。重ね合わされた層構造又は混合された層構造は共に、異なる蛍光材料から形成される。重ね合わされた層構造は、例えば、異なる蛍光層材料からなる複数の層から作られ、混合光、例えば、赤色光、緑色光、及び青色光を含む、白色光混合光を生成する。混合された層構造では、異なる色の複数の蛍光層が異なる領域に配置されそれぞれ決められた周波数に対応する光を生成して光混合効果を実現する。更に、可視光材料の他に、蛍光層は、赤外線材料又はＵＶ材料を使用可能である。
【００２９】
上述の両面が発光する面光源装置は、基本構造だけである。発光効率を促進する目的で、追加の補助機能層を透明陰極構造２０６又は透明陽極構造２０８上に配置する。図４は、本発明の別の実施形態による、両面が発光する面光源装置を示す断面図である。図４を参照するに、輝度を増加するようより効果的に２次電子２１６を生成する目的で、２次電子材料層２２２が、例えば、透明陰極構造２０６上に配置される。２次電子材料層２２２の材料は、例えば、酸化マグネシウム（ＭｇＯ）、酸化テルビウム（Ｔｂ２Ｏ３）、酸化ランタン（Ｌａ２Ｏ３）、又は酸化セリウム（ＣｅＯ２）を含む。
【００３０】
図５−７は、本発明の他の実施形態による、両面が発光する面光源装置を示す断面図である。図５を参照するに、エミッタ材料層２２４を透明陰極構造２０６上に更に配置し、それにより、放電を容易にし、また、動作電圧を下げる表面構造を提供する。エミッタ材料層２２４は、例えば、金属材料、カーボンナノチューブ、カーボンナノウォール、カーボンナノ細孔材料、シリンダ状ＺｎＯ、又はＺｎＯから形成されうる又は含みうる。
【００３１】
図５の実施形態では、エミッタ材料層２２４は、例えば、以下に限定しないが、透明陰極構造２０６上に配置される。図６を参照するに、別のエミッタ材料層２２４が透明陽極構造２０８上に配置されて放電を容易にする。図７を参照するに、２つのエミッタ材料層２２４及び２２６がそれぞれ透明陰極構造２０６及び透明陽極構造２０８上に配置される。
【００３２】
図５−７では、構造は、エミッタ材料層を有するが、必要である場合には、２次電子材料層を、図４に示すように追加的に配置してもよい。実際、本発明の実施形態は、様々な方法で又はそれらの組み合わせ形態で実施されうるが、本発明はこれらに限定されない。
【００３３】
図８は、本発明の更に別の実施形態による、両面が発光する面光源装置を示す断面図である。図８を参照するに、この実施形態では、追加の透明導電保護層２２８が、蛍光層２１０上に配置される。この透明導電保護層２２８は、蛍光層２１０を保護する目的で導電性である。より詳細には、透明導電保護層２２８は、蛍光層２１０にイオンが衝突することを阻止し、また、蛍光体が焼き付き及び損傷することを回避して蛍光層２１０の寿命を延長する。透明導電保護層２２８は保護を目的とするので、透明導電保護層２２８を形成するには、例えば、数ナノメートルの１つの薄層だけで十分である。更に、エミッタ材料層２２４を、例えば、透明陰極構造２０６上に配置可能である。
【００３４】
上述した実施形態における蛍光層は、表面構造として設計されるが、変更してもよい。図９は、本発明の更に別の実施形態による、両面が発光する面光源装置を示す断面図である。図９を参照するに、２つの透明基板２９０及びスペーサ２９６は、上述内容と同様に配置され、低圧ガスを収容する空間を作成する。しかし、本実施形態は、電極及び蛍光層の配置において他とは異なる。陰極構造２９２及び陽極構造２９４が、同じ基板２９０上に配置される。陰極構造２９２及び陽極構造２９４が占める面積が小さいので、これらの構造は、透明導電材料又は不透明導電材料から形成され、好適には透明導電材料から形成される。蛍光構造層が、透明基板２９０上に配置され、陰極構造２９２と陽極構造２９４との間に位置付けられる。
【００３５】
蛍光層は、例えば、複数の蛍光単体を含み、各蛍光単体の表面は、蛍光材料層を有する。蛍光単体２９５は、例えば、球状の蛍光単体であり、各蛍光単体２９５の表面は、蛍光材料層を有する。蛍光単体２９５は、円筒状の蛍光単体であってもよく、その表面も蛍光材料層を有しうる。この実施形態では、電子は、矢印により示す方向に動き、電子は横方向に動く。透明基板２９０及び２９８は共に透明であるので、生成される光は、両面から放射される。
【００３６】
図１０は、本発明の更に別の実施形態による、両面が発光する面光源装置を示す断面図である。図１０を参照するに、両面が発光する面光源装置では、スペーサ２３２が、電極２０６と蛍光層２１０との間に配置されて、それにより、低圧ガスを収容する空間を作成する。基板間のスペーサ２３２は、基板を支持するわけではなく、これは、空間を分割する上述した実施形態の変形を反映する。
【００３７】
図３と同様に、電極構造も変更することができる。図１１は、本発明の更に別の実施形態による、両面が発光する面光源装置を示す断面図である。図１１を参照するに、２つの透明基板３００及び３０２とスペーサ３０４は、上述したように、低圧ガスを収容する空間を作成する。この実施形態では、少なくとも１つの陰極ワイヤ構造３１０が、透明基板３００上の空間内に配置される。この実施形態では、陰極ワイヤ構造３１０は、例えば、複数の陰極ワイヤである。透明陽極構造３０６は、透明基板３００上で、透明陽極構造３０６に並行して形成される表面構造である。蛍光層３０８は、陰極ワイヤ構造３１０と透明陽極構造３０６との間に位置付けられ、また、蛍光層３０８は、例えば、陰極ワイヤ構造３１０上に直接形成される。
【００３８】
陰極ワイヤ構造３１０は、例えば、フィラメント状の構造であるので、発光品質には影響を与えない。
【００３９】
同様に、本発明は、他の変更も有することができる。図１２Ａ及び図１２Ｂは、本発明の更に別の実施形態による、両面が発光する面光源装置を示す側面図及び平面図である。図１２Ａを参照するに、２つの導電透明基板４００とスペーサ４０６が、上述したように低圧ガスを収容する空間を作成する。導電透明基板４００は、例えば、陽極として機能する導電ガラスである。蛍光層４０２は、２つの導電透明基板４００上に配置される。少なくとも１つの陰極ワイヤ構造４０４が、２つの導電透明基板４００間の空間内に配置される。一実施形態では、陰極ワイヤ構造４０４は、例えば、複数の陰極ワイヤである。陰極ワイヤ構造４０４は、図１２Ｂに示すように、２つの導電透明基板間の平面上に分布される。陰極ワイヤ構造４０２は、例えば、表面構造であり、従って、陰極ワイヤ構造４０２は、両面が発光する基板として機能できる。
【００４０】
本発明により提供する、両面が発光する面光源装置は、両面画像表示又は曲面画像表示に更に適用可能である。
【００４１】
当業者には、本発明の範囲又は精神から逸脱することなく本発明の構造に様々な改良及び変更を行いうることは明らかであろう。上述に鑑みて、本発明は、請求項及びその等価物の範囲に含まれるという条件で本発明の改良及び変更を包含することを意図する。
【符号の説明】
【００４２】
１００  電極構造
１０２  電極構造
１０４  ガス
１０６  電源
１０８ａ−ｃ  蛍光層
１１０  電子
１２０  ガラス基板
１２２  陰極構造層
１２４  円錐形の導体
１２６  ゲート層
１２８  陽極構造層
１３０  蛍光層
１３２  電子
２００  透明基板
２０２  透明基板
２０４  スペーサ
２０６  透明陰極構造
２０８  透明陽極構造
２１０  蛍光層
２１２  電子
２１４  ガスイオン
２１６  ２次電子
２１８、２２０  光
２２２  ２次電子材料層
２２４、２２６  エミッタ材料層
２２８  透明導電保護
２３２  スペーサ
２９０  透明基板
２９２  陰極構造
２９４  陽極構造
２９５  蛍光単体
２９６  スペーサ
２９８  透明基板
２００、３０２  透明基板
３０４  スペーサ
３０６  透明陽極構造
３０８  蛍光層
３１０  陰極ワイヤ構造
４００  導電透明基板
４０２  蛍光層
４０４  陰極ワイヤ構造
４０６  スペーサ
【図１】
2011165679.tif 000003
【図２】
2011165679.tif 000004
【図３】
2011165679.tif 000005
【図４】
2011165679.tif 000006
【図５】
2011165679.tif 000007
【図６】
2011165679.tif 000008
【図７】
2011165679.tif 000009
【図８】
2011165679.tif 000010
【図９】
2011165679.tif 000011
【図１０】
2011165679.tif 000012
【図１１】
2011165679.tif 000013
【図１２Ａ】
2011165679.tif 000014
【図１２Ｂ】
2011165679.tif 000015
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
第１の透明基板と、
第２の透明基板と、
前記第１の透明基板と前記第２の透明基板との間に配置されて空間を作成するスペーサと、
前記空間を充填し、陰極に電子を均一に放射させるよう機能する低圧ガス層と、
前記第１の透明基板上に配置される陰極構造と、
前記第１の透明基板上に配置される陽極構造と、
前記第１の透明基板上に配置され、前記陰極構造と前記陽極構造との間に位置付けられる蛍光構造層と、
を含み、
前記低圧ガス層の電子平均自由行程は、動作電圧下で、少なくとも十分な電子が前記蛍光構造層の横方向に動き、また、前記蛍光構造層に直接衝突することを可能にする、両面が発光する面光源装置。
【請求項２】
前記蛍光構造層は、複数の蛍光単体を含み、
各蛍光単体の表面は、蛍光材料層を有する、請求項１に記載の両面が発光する面光源装置。
【請求項３】
前記蛍光構造層は、複数の球状の蛍光単体から構成され、
各蛍光単体の表面は、蛍光材料層を有する、請求項１に記載の両面が発光する面光源装置。
【請求項４】
前記蛍光構造層は、複数の円筒状の蛍光単体から構成され、
各蛍光単体の表面は、蛍光材料層を有する、請求項１に記載の両面が発光する面光源装置。
【請求項５】
前記蛍光構造層の蛍光材料層は、単層構造を含む、請求項１から４のいずれか１項に記載の両面が発光する面光源装置。
【請求項６】
前記蛍光構造層の蛍光材料層は、複数の異なる蛍光材料をそれぞれ有する重ね合わせ層構造又は混合された層構造を含む、請求項１から４のいずれか１項に記載の両面が発光する面光源装置。
【請求項７】
前記低圧ガス層の圧力は、１０から１０−３トールの範囲にある、請求項１から６のいずれか１項に記載の両面が発光する面光源装置。
【請求項８】
前記蛍光構造層は、少なくとも１つの発光領域を形成する、請求項１から７のいずれか１項に記載の両面が発光する面光源装置。
【請求項９】
前記蛍光構造層は、対応周波数を有する光をそれぞれ生成する複数の領域を含む、請求項１から８のいずれか１項に記載の両面が発光する面光源装置。
【外国語明細書】
2011165679.tif 000016
2011165679.tif 000017
2011165679.tif 000018
2011165679.tif 000019
2011165679.tif 000020
2011165679.tif 000021
2011165679.tif 000022
2011165679.tif 000023
2011165679.tif 000024
2011165679.tif 000025
2011165679.tif 000026
2011165679.tif 000027
2011165679.tif 000028
2011165679.tif 000029
2011165679.tif 000030
2011165679.tif 000031
2011165679.tif 000032
2011165679.tif 000033
2011165679.tif 000034
2011165679.tif 000035
2011165679.tif 000036
2011165679.tif 000037
2011165679.tif 000038
2011165679.tif 000039
2011165679.tif 000040
2011165679.tif 000041
2011165679.tif 000042
2011165679.tif 000043